(57)【要約】【課題】膨出部材を設けない場合であっても、フローズン状の飲料を容易に作製することができる容器を提供すること。【解決手段】本発明は、底面３と、底面３から立設される側面４と、底面３及び側面４の内側に設けられる収容部２５と、上部に配置される開口部２１とを備えるプラスチック製の容器１であって、底面３は、底面３の内面３１が内方に凹んだ凹部５を有し、容器１の高さＨ１に対する凹部５の高さＨ２の比であるＨ２／Ｈ１は、１／１０以上である。【選択図】図６
2019043612.tif 000002
【特許請求の範囲】
【請求項１】
底面と、前記底面から立設される側面と、前記底面及び前記側面の内側に設けられる収容部と、上部に配置される開口部とを備えるプラスチック製の容器であって、
前記底面は、前記底面の内面が内方に凹んだ凹部を有し、
容器の高さに対する前記凹部の高さの比であるＨ２／Ｈ１は、１／１０以上であることを特徴とする容器。
【請求項２】
前記凹部の外面は、前記底面の外面が内方に凹んで形成されることを特徴とする請求項１に記載の容器。
【請求項３】
平面視において、前記凹部は、前記収容部の中央部を含むように配置されていることを特徴とする請求項１又は２に記載の容器。
【請求項４】
縦断面視において、前記凹部は先窄まり状であることを特徴とする請求項１〜３のいずれかに記載の容器。
【請求項５】
縦断面視において、前記凹部における前記収容部の側の内面は、前記収容部の側の内方に凸の曲線部分を含んでいることを特徴とする請求項１〜４のいずれかに記載の容器。
【請求項６】
縦断面視において、前記凹部の基部における前記収容部の側の内面は、前記収容部とは反対側の外方に凸の曲線部分を含んでいることを特徴とする請求項１〜５のいずれかに記載の容器。
【請求項７】
平面視において、前記側面の下端における、前記側面の内面の輪郭の面積Ｓ１に対する前記凹部の面積Ｓ２の比であるＳ２／Ｓ１は、１／２００以上１／２以下であることを特徴とする請求項１〜６のいずれかに記載の容器。
【請求項８】
横断面視において、前記側面の内面の輪郭は、円形状または楕円形状であることを特徴とする請求項１〜７のいずれかに記載の容器。
【請求項９】
前記開口部を覆う蓋体を備えていることを特徴とする請求項１〜８のいずれかに記載の容器。
【発明の詳細な説明】
【技術分野】
【０００１】
本発明は、冷菓などの収容物を収容可能な容器に関する。
【背景技術】
【０００２】
氷菓（シャーベット状アイスなど）、アイスクリーム類などの冷菓に凹状の窪みを形成して窪みに液体を注入可能な容器が知られている。冷菓が凹状の窪みを有する形状であれば、ミルクやシロップ等の飲料用の液体を凹状の窪みに注ぎ、撹拌することにより容易に冷菓と飲料用の液体とを混ぜることができる。例えば、凹状の窪みを有する形状の冷菓にミルクを注ぎ、冷菓とミルクとを撹拌することでフローズン状の飲料を容易に作製することができる。
【０００３】
例えば、特許文献１では、冷菓に凹状の窪みを形成するために、鉛直下方向に向けて膨出する膨出部材（内蓋）の外面に螺旋状の段差が形成されている冷菓収容用容器が開示されている。特許文献１の冷菓収容用容器であれば、冷菓を凹状の窪みを有する形状に収容可能であって、冷菓と膨出部材との界面において、螺旋状の段差に沿って膨出部材を回転させることで、冷菓と膨出部材とを分離することが可能となる。
【先行技術文献】
【特許文献】
【０００４】
【特許文献１】特許第５５３６２７３号公報
【発明の概要】
【発明が解決しようとする課題】
【０００５】
しかし、特許文献１の冷菓収容用容器は、膨出部材を備えているため、フローズン状の飲料を作製する際に冷菓と膨出部材とを分離する必要があり、フローズン状の飲料の作製に手間が掛かる。
【０００６】
本発明は、上記の課題を解決するための容器であり、その目的は、膨出部材を設けない場合であっても、フローズン状の飲料を容易に作製することができる容器を提供することである。
【課題を解決するための手段】
【０００７】
本発明者は、本課題を解決すべく鋭意検討を行った結果、容器の底面に特有の構成を有する凹部を設けることにより、上記課題を解決できることを見出し、本発明をするに至った。
【０００８】
（１）底面と、前記底面から立設される側面と、前記底面及び前記側面の内側に設けられる収容部と、上部に配置される開口部とを備えるプラスチック製の容器であって、前記底面は、前記底面の内面が内方に凹んだ凹部を有し、容器の高さに対する前記凹部の高さの比であるＨ２／Ｈ１は、１／１０以上であることを特徴とする容器。
【０００９】
（２）前記凹部の外面は、前記底面の外面が内方に凹んで形成されることを特徴とする（１）に記載の容器。
【００１０】
（３）平面視において、前記凹部は、前記収容部の中央部を含むように配置されていることを特徴とする（１）又は（２）に記載の容器。
【００１１】
（４）縦断面視において、前記凹部は先窄まり状であることを特徴とする（１）〜（３）のいずれかに記載の容器。
【００１２】
（５）縦断面視において、前記凹部における前記収容部の側の内面は、前記収容部の側の内方に凸の曲線部分を含んでいることを特徴とする（１）〜（４）のいずれかに記載の容器。
【００１３】
（６）縦断面視において、前記凹部の基部における前記収容部の側の内面は、前記収容部とは反対側の外方に凸の曲線部分を含んでいることを特徴とする（１）〜（５）のいずれかに記載の容器。
【００１４】
（７）平面視において、前記側面の下端における、前記側面の内面の輪郭の面積Ｓ１に対する前記凹部の面積Ｓ２の比であるＳ２／Ｓ１は、１／２００以上１／２以下であることを特徴とする（１）〜（６）のいずれかに記載の容器。
【００１５】
（８）横断面視において、前記側面の内面の輪郭は、円形状または楕円形状であることを特徴とする（１）〜（７）のいずれかに記載の容器。
【００１６】
（９）
前記開口部を覆う蓋体を備えていることを特徴とする（１）〜（８）のいずれかに記載の容器。
【発明の効果】
【００１７】
本発明によれば、膨出部材を設けない場合であっても、フローズン状の飲料を容易に作製することができる容器を提供することができる。
【図面の簡単な説明】
【００１８】
【図１】本発明の第１実施形態の容器を斜め上方から視た分解斜視図である。
【図２】本発明の第１実施形態の容器を斜め下方から視た斜視図である。
【図３】本発明の第１実施形態の容器の正面図である。
【図４】本発明の第１実施形態の容器の平面図である。
【図５】本発明の第１実施形態の容器の底面図である。
【図６】本発明の第１実施形態の容器の中央縦断面図である。
【図７】図６の部分拡大図である。
【図８】図６に示すＡ−Ａ−Ａ−Ａ−Ａ−Ａ線断面図である。
【図９】図８に示す断面図を用いて、容器を押し潰す動作を説明する図である。
【図１０】本発明の第２実施形態の容器の断面図である（図８対応図）。
【図１１】本発明の第３実施形態の容器の断面図である（図８対応図）。
【図１２】正面側斜視図である（図１対応図）。
【図１３】背面側斜視図である（図２対応図）。
【図１４】正面図（背面図、左側面図、右側面図）である（図３対応図）。
【図１５】平面図である（図４対応図）。
【図１６】底面図である（図５対応図）。
【図１７】図１５（平面図）における中央縦断面図である（図６対応図）。
【発明を実施するための形態】
【００１９】
以下、本発明の容器の実施形態としての冷菓収容用容器について説明する。冷菓としては、例えば、氷菓（シャーベット状アイスなど）、アイスクリーム類などが挙げられる。本発明は、以下の実施形態に何ら限定されず、本発明の目的の範囲内において、適宜変更を加えて実施することができる。
【００２０】
図１は、本発明の第１実施形態の容器を斜め上方から視た分解斜視図である。図２は、本発明の第１実施形態の容器を斜め下方から視た斜視図である。図３は、本発明の第１実施形態の容器の正面図である。図４は、本発明の第１実施形態の容器の平面図である。図５は、本発明の第１実施形態の容器の底面図である。図６は、本発明の第１実施形態の容器の中央縦断面図である。容器の中央縦断面図は、中心Ｏ１を通る縦断面図である。図７は、図６の部分拡大図である。図８は、図６に示すＡ−Ａ−Ａ−Ａ−Ａ−Ａ線断面図である。図９は、図８に示す断面図を用いて、容器を押し潰す動作を説明する図である。図１０は、本発明の第２実施形態の容器の断面図である（図８対応図）。図１１は、本発明の第３実施形態の容器の断面図である（図８対応図）。
【００２１】
［第１実施形態］
図１に示すように、第１実施形態の容器１は、容器本体２と蓋体６とを備える。なお、蓋体６は、図１のみの図示されている。図６に示すように、容器１の容器本体２の収容部２５に冷菓１３が収容されたものが、冷菓入り容器である。
【００２２】
図１〜図６に示すように、容器本体２は、上部に平面視で真円形状の開口部２１及び円環状のフランジ部２４を有し、下部に平面視で真円形状の底面３を有する。更に、容器本体２は、底面３から立設され、開口部２１と底面３との間を繋ぐ側面４を有する。側面４は、周壁状である。フランジ部２４は、開口部２１を形成する側面４の上端４４から、平面視で径方向Ｄ５（図４参照）の外側に延出している。容器本体２の内側、すなわち底面３及び側面４の内側は、収容部２５として機能する。
【００２３】
蓋体６は、容器本体２の開口部２１を覆う。詳細には、蓋体６は、容器本体２のフランジ部２４に嵌合されて、開口部２１を覆う。蓋体６が外された状態においては、容器本体２が容器１そのものといえるため、特に区別する必要が無い場合、容器本体２についての説明は、容器１についての説明と扱うことができる。
【００２４】
図２、図５〜図７に示すように、底面３には、径方向Ｄ５の内側に向かったときに上方向Ｄ３１への段差となる底面段差部３５が形成されている。
図３、図６に示すように、側面４は、開口部２１から底面３に向けて（下方向Ｄ３２に向けて）、窄まっている。図８に示すように、側面４の内面４１及び外面４２の輪郭は、横断面視において、円形状である。側面４の上部には、上部段差部４６が形成され、側面４の下部には、下部段差部４５が形成されている。上部段差部４６及び下部段差部４５は、下方向Ｄ３２に向かったときに径方向Ｄ５の内側への段差となる。
【００２５】
図６、図７に示すように、底面３は、底面３の内面３１と底面３の外面３２が内方に（詳細には、上方向Ｄ３１に向けて）凹んだ凹部５を、１つ有する。図８に示すように、凹部５の内面５１及び外面５２の輪郭は、横断面視において、円形状である。
図４に示すように、平面視において、凹部５は、収容部２５の中央部を含むように配置されている。第１実施形態においては、平面視において、凹部５の先端５３の中心は、収容部２５の中心Ｏ１（底面３の円形状の中心）と一致している。
【００２６】
第１実施形態においては、凹部５は、底面３（詳細には、底面３のうち底面段差部３５よりも内側の部分）から延びている。容器１の高さＨ１に対する凹部５の高さＨ２の比であるＨ２／Ｈ１は、１／１０以上であり、好ましくは１／７以上である。比Ｈ２／Ｈ１は、好ましくは１／３以下であり、更に好ましくは１／４以下である。
【００２７】
図６、図７に示すように、縦断面視において、凹部５は先窄まり状である。図６に示す縦断面視は、容器の中央縦断面視であって、中心Ｏ１を通る垂直断面視である。先窄まり状とは、上方向Ｄ３１に向けて徐々に細くなる形状をいう。見方を変えると、先窄まり状は、基端から先端に向けて太くなることがなければ、丸みを帯びていてもよい。
【００２８】
縦断面視において、凹部５における収容部２５の側の内面５１（詳細には、凹部５における先端５３に近い部分の内面５１）は、収容部２５の側の内方に凸の曲線部分５５を含んでいる。見方を変えると、「収容部２５の側の内方に」とは、「上方向Ｄ３１に向けて」ということである。
縦断面視において、凹部５の基部５４における収容部２５の側の内面５１は、収容部２５とは反対側の外方に凸の曲線部分５６を含んでいる。見方を変えると、「収容部２５とは反対側の外方に」とは、「下方向Ｄ３２に向けて」ということである。
【００２９】
平面視において、側面４の下端４３における、側面４の内面４１の輪郭の面積Ｓ１に対する凹部５の面積Ｓ２の比であるＳ２／Ｓ１は、好ましくは１／２００以上１／２以下であり、更に好ましくは１／５０以上１／３以下である。凹部５の面積Ｓ２は、基部５４により形成される形状の面積となる。この形状は、第１実施形態では円形状であり、後述の第２実施形態では楕円形状であり、第３実施形態では略陸上トラック形状である。
【００３０】
図８に示すように、側面４の厚さは、略均一である。従って、側面４の外面４２の横断面視における形状は、側面４の内面４１の横断面視における形状と同様である（略類似形状である）。
また、図７に示すように、凹部５の縦断面視における厚さは、略均一である。従って、凹部５の外面５２の縦断面視における形状は、凹部５の内面５１の縦断面視における形状と同様である（略類似形状である）。図８に示すように、凹部５の外面５２の横断面視における形状は、凹部５の内面５１の横断面視における形状と同様であり（略類似形状であり）、具体的には円形である、
【００３１】
凹部５が存在するため、収容部２５に収容された冷菓１３には、凹部５に倣って上方向Ｄ３１に向かって凹む窪みが形成される。冷菓１３としては、例えばシャーベットやアイスクリーム等の従来公知の冷菓を例示することができる。
【００３２】
［容器本体２を構成するシート］
容器本体２を構成するシート（以下単にシートＡともいう）の引張弾性率の値は、好ましくは９００ＭＰａ以上１４００ＭＰａ以下であり、より好ましくは１２００ＭＰａ以上１３００ＭＰａ以下である。
【００３３】
本発明において引張弾性率は、ＪＩＳ  Ｋ７１２７に準拠して測定される。必要に応じて、ＪＩＳ  Ｋ７１６１−１（厚さが１ｍｍ以下の場合）またはＪＩＳ  Ｋ７１６１−２（厚さが１ｍｍ超の場合）が参照される。
引張弾性率は、具体的には、以下のように求められる。所定厚さのシート状態からダンベル型試験片（試験片タイプ１Ｂ）を作成する。この試験片を用いて、線間距離５０ｍｍ、引張速度１ｍｍ／ｍｉｎの条件で引張試験を行う。引張試験により測定される応力−歪曲線の傾きから、引張弾性率を求める。ここで、引張弾性率は、ＭＤ（シート流れ方向）方向１０点の平均を取り、ＴＤ方向（シート幅方向）１０点の平均を取り、更に、ＭＤ方向とＴＤ方向との平均を取った算術平均値である。
【００３４】
容器本体２は、たとえば、従来公知のシート成形法によって熱成形することができる。シートＡの厚さは、好ましくは０．５ｍｍ以上２．０ｍｍ以下である。なお、シートＡは、単層であってもよく、多層であってもよい。
【００３５】
シートＡの材料は、プラスチック製であれば特に限定されないが、コストや硬度の観点からポリスチレン系樹脂や、ポリエチレン系樹脂やポリプロピレン系などのポリオレフィン系樹脂を好ましく用いることができる。なかでも、ポリプロピレン系樹脂を５０質量％以上含有する樹脂組成物を用いることが好ましい。
【００３６】
上記ポリプロピレン系樹脂としては、具体的には、プロピレンホモポリマー、プロピレンと共重合可能な他のオレフィンとの共重合体が挙げられる。共重合体とすることで、耐衝撃性、なかでも低温での耐寒衝撃性を向上させると共に、上記の引張弾性率の調整を行うことができる。
【００３７】
上記共重合体は、ランダム共重合体であってもよく、ブロック共重合体であってもよく、更に二元系共重合体であってもよく、三元系以上の共重合体であってもよい。上記ポリプロピレン系樹脂は、１種のみが用いられてもよく、２種以上が併用されてもよい。上記プロピレンと、プロピレンと共重合可能な他のオレフィンとの共重合体では、共重合に用いる重合可能な重合成分１００質量％中、プロピレンモノマーの含有量は５０質量％以上であり、好ましくは８０質量％以上である。
【００３８】
上記プロピレンと共重合可能な他のオレフィンとしては、エチレン及びα−オレフィンなどが挙げられる。上記α−オレフィンの炭素数は４〜１０であることが好ましい。上記α−オレフィンとしては、１−ブテン、イソブチレン、１−ペンテン、３−メチル−１−ブテン、１−ヘキセン、３，４−ジメチル−１−ブテン、１−ヘプテン及び３−メチル−１−ヘキセン等が挙げられる。
【００３９】
また、シートＡは、上記のポリプロピレン系樹脂とポリエチレン系樹脂とを併用（ブレンド）してもよい。上記ポリエチレン系樹脂としては、低密度ポリエチレン、中密度ポリエチレン及び高密度ポリエチレン、エチレン−プロピレンラバー（ＥＰＲ）などが挙げられる。これにより、耐衝撃性、なかでも低温での耐寒衝撃性を向上させると共に、上記の引張弾性率の調整を行うことができる。この場合であっても、プロピレンモノマーの含有量は５０質量％以上であり、好ましくは８０質量％以上であることが好ましい。なお、ここでいうプロピレンモノマーの含有量とは、樹脂組成物中における全プロピレンモノマーユニットの合計量である。
【００４０】
また、シートＡは、耐衝撃性を改善するために、更に熱可塑性エラストマーを併用（ブレンド）してもよい。熱可塑性エラストマーとしては、スチレン−ブタジエン−スチレン共重合体（ＳＢＳ）やスチレン−エチレンブチレン−スチレン共重合体（ＳＥＢＳ）などのようなスチレン系熱可塑性エラストマー、エチレン−プロピレンラバー（ＥＰＲ）などのようなオレフィン系熱可塑性エラストマー、等が挙げられる。この場合であっても、樹脂組成物中におけるプロピレンモノマーの含有量は５０質量％以上であり、好ましくは８０質量％以上であることが好ましい。
【００４１】
シートＡの引張弾性率の調整は、上記のポリプロピレン系樹脂の選択と、それに必要に応じて併用されるポリエチレン系樹脂や熱可塑性エラストマーの量を変えることによって適宜設定することができる。
【００４２】
［冷菓潰し動作及び効果の説明］
冷菓入り容器（容器１の容器本体２の収容部２５に冷菓１３が収容されたもの）に対して冷菓を潰す動作について説明する。図９は、図８に示す断面図を用いて、容器を押し潰す動作を説明する図である。蓋体６が外された状態において、冷菓入り容器（図９では、冷菓１３の図示は省略）の容器本体２を径方向Ｄ５の内側に押し潰す。これにより、側面４は、平面視において略楕円形状に容易に変形する。ここで、底面３及び凹部５は、ほとんど変形しない。
【００４３】
このような側面４の変形と、底面３及び凹部５がほとんど変形しないことにより、側面４の内面４１及び凹部５の内面５１に倣って収容部２５に収容されている冷菓１３には、特に凹部５の内面５１に隣接する冷菓１３には応力が集中する。そのため、冷菓１３に亀裂が入りやすく、冷菓１３を容易に潰して砕くことができる。そして、容器１にミルク、コーヒー、シロップ等の飲料を注ぎ、これらと冷菓とを撹拌することにより容易に冷菓と飲料用の液体とを混ぜることができる。従って、膨出部材を設けない場合であっても、フローズン状の飲料を容易に作製することができる容器を提供することができる。
【００４４】
［他の実施形態］
次に、本発明の他の実施形態（第２実施形態など）について、図面を参照しながら説明する。他の実施形態では、主に第１実施形態との相違点について説明する。そのため、第１実施形態と同一（又は同等）の構成については、詳細な説明を省略する。また、他の実施形態において特に説明しない点については、第１実施形態の説明が適宜に適用又は援用される。他の実施形態においても、第１実施形態と同様の効果が奏される。
【００４５】
［第２実施形態］
次に、第２実施形態について説明する。図１０は、本発明の第２実施形態の容器の断面図である（図８対応図）。第１実施形態においては、横断面視（平面視）において、容器１の容器本体２の側面４及び凹部５の形状は、それぞれ円形状である。詳述すると、側面４の内面４１の輪郭及び凹部５の基部５４の内面５１の輪郭は、横断面視（平面視）において、円形状である。
【００４６】
これに対して、横断面視（平面視）において、第２実施形態の容器１Ａの容器本体２Ａの側面４及び凹部５の形状は、それぞれ楕円形状である。詳述すると、側面４の内面４１の輪郭及び凹部５の基部５４の内面５１の輪郭は、横断面視（平面視）において、楕円形状である。
【００４７】
［第３実施形態］
次に、第３実施形態について説明する。図１１は、本発明の第３実施形態の容器の断面図である（図８対応図）。第１実施形態においては、横断面視（平面視）において、容器１の容器本体２の側面４及び凹部５の形状は、それぞれ円形状である。詳述すると、側面４の内面４１の輪郭及び凹部５の基部５４の内面５１の輪郭は、横断面視（平面視）において、円形状である。
【００４８】
これに対して、横断面視（平面視）において、第３実施形態の容器１Ｂの容器本体２Ｂの側面４及び凹部５の形状は、それぞれ略陸上トラック形状（平行な２線分が２個の半円弧で繋がった形状）である。詳述すると、側面４の内面４１の輪郭及び凹部５の基部５４の内面５１の輪郭は、横断面視（平面視）において、略陸上トラック形状である。
【００４９】
［第３実施形態の変形形態］
第３実施形態において、略陸上トラック形状における半円弧に代えて、半楕円弧とすることができる。
【００５０】
以上、本発明の実施形態について説明したが、本発明は前述した実施形態に限定されるものではなく、例えば、後で例示するように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び変形形態は、適宜組み合わせて用いることもできるが、詳細な説明は省略する。
【００５１】
前記実施形態においては、凹部５の外面５２は、底面３の外面３２が内方に凹んで形成されているが、これに制限されない。凹部５の外面５２は、上方向Ｄ３１に凹んでいなくてもよい。
【００５２】
前記実施形態においては、凹部５は、収容部２５の中央部（詳細には中心Ｏ１）を含むように配置されているが、これに制限されない。凹部５の個数は、１個に制限されず、複数であってもよい。凹部５の個数は、例えば、２〜５個である。
【００５３】
蓋体は、開口部を覆うことができれば、前述の容器本体２のフランジ部２４に嵌合される構成に制限されない。蓋体は、容器本体２のフランジ部２４に接合（溶着）されるものであってもよい。容器本体２にフランジ部２４は設けられていなくてもよい。
【００５４】
図１２は、正面側斜視図である（図１対応図）。図１３は、背面側斜視図である（図２対応図）。図１４は、正面図（背面図、左側面図、右側面図）である（図３対応図）。図１５は、平面図である（図４対応図）。図１６は、底面図である（図５対応図）。図１７は、図１５（平面図）における中央縦断面図である（図６対応図）。
【００５５】
図１２（正面側斜視図）、図１３（背面側斜視図）、図１４（正面図）、図１５（平面図）、図１６（底面図）及び図１７（図１５（平面図）における中央縦断面図）において、表面部に表された形状線以外の細線は、いずれも立体表面の形状を特定するためのものである。
【符号の説明】
【００５６】
１，１Ａ，１Ｂ  容器
２，２Ａ，２Ｂ  容器本体
２１  開口部
２５  収容部
３  底面
３１  内面
３２  外面
４  側面
４１  内面
４２  外面
４３  下端
５  凹部
５１  内面
５２  外面
５３  先端
５４  基部
５５  曲線部分
５６  曲線部分
６  蓋体
Ｈ１  容器の高さ
Ｈ２  凹部の高さ
Ｏ１  中心
【図１】
2019043612.tif 000003
【図２】
2019043612.tif 000004
【図３】
2019043612.tif 000005
【図４】
2019043612.tif 000006
【図５】
2019043612.tif 000007
【図６】
2019043612.tif 000008
【図７】
2019043612.tif 000009
【図８】
2019043612.tif 000010
【図９】
2019043612.tif 000011
【図１０】
2019043612.tif 000012
【図１１】
2019043612.tif 000013
【図１２】
2019043612.tif 000014
【図１３】
2019043612.tif 000015
【図１４】
2019043612.tif 000016
【図１５】
2019043612.tif 000017
【図１６】
2019043612.tif 000018
【図１７】
2019043612.tif 000019